(57)【特許請求の範囲】
【請求項１】
長手方向に列設される固定刃と、該固定刃間に配置され前方側及び後方側の夫々に刃部を有する可動刃とを備え、各可動刃は、固定刃に対する揺動軸を備え、且つ当該可動刃の基端側には連結杆との連結軸を備え、連結杆の長手方向への往復動によって前記可動刃が前記揺動軸を中心として揺動する刈込鋏において、
固定刃はＶ字を形成する直線刃とし、且つ、可動刃は少なくとも後方側に面する刃部が凸状の曲線刃としたことを特徴とする刈込鋏。
【請求項２】
可動刃の刃部は前方側及び後方側の双方が凸状の曲線刃であることを特徴とする請求項１記載の刈込鋏。
【請求項３】
前方側に面する刃部の曲率半径が、後方側に面する刃部の曲率半径よりも大きいものとしたことを特徴とする請求項２記載の刈込鋏。
【請求項４】
可動刃のうち前方側に面する刃部は直線刃であることを特徴とする請求項１記載の刈込刃。
【発明の詳細な説明】
【技術分野】
【０００１】
本発明は、動力式の刈込鋏に関するものである。
【背景技術】
【０００２】
複数の固定刃と可動刃を列設し、可動刃の基端側を前後動可能な連結杆に枢着し、各固定刃間で可動刃が往復動することによって、前記固定刃及び可動刃間に導入される多数の枝等を連続的に切断できる動力式の刈込鋏が一般に使用される。
【０００３】
一般に複数の固定刃及び可動刃を列設した構成を有する刈込鋏は、特に種々の草や太さの異なる枝等が混在した状況下の切断に用いられる。このため多くの場合、刈込鋏には種々の被切断対象物を一度に切断できる性能が要求される。
【０００４】
従来の刈込鋏における固定刃及び可動刃は、夫々Ｖ字形状の刃部を備えており、当該固定刃及び可動刃の間に導入した枝が逃げることがあった。このような事態を防止すべく、枝を逃さないようにするための構成を備えた刈込刃として、揺動刃の横巾より広い切り込み部を連続形成した形の固定刃と、円弧状の凸部が両外側に位置し先端側に向けて先細り状となり、かつ、表側から片刃状の刃付け部を形成した揺動刃からなり、固定刃における切り込み部の中程位置に、揺動刃を揺動自在の状態として取り付け、固定刃の基部を動力機に取り付けるとともに、動力機からの前後移動出力を各揺動刃に連伝させた刈込鋏が公知である（例えば、特許文献１参照。）。
【０００５】
また、固定枠体に一定間隔をおいて平行に固定した各受刃体の側縁に鋸歯状刻みを形成し、各受刃体に対し横方向に往復動する取付杆に一定間隔をおいて固定した動刃体を前記受刃体の下面に近接して往復動するように設け、各動刃体の先端を前記受刃体の先端より前方に突出するように形成するとともに、動刃体が稼働して受刃体に近接する際に動刃体の基部側が先行するように動刃体の基部側から先端側にかけてその側部刃縁を湾曲状に形成したことを特徴とするレシプロ式刈取装置が公知である（例えば、特許文献２参照。）。
【先行技術文献】
【特許文献】
【０００６】
【特許文献１】特開平１０−２４８３８３号
【特許文献２】実開昭４８−４９１２１号
【発明の概要】
【発明が解決しようとする課題】
【０００７】
上記特許文献１は固定刃が揺動刃の横巾より広い切り込み部を連続形成した形としてあるため、導入した枝が逃げることを防止する効果が得られるものであった。
しかしながら、特に太い枝や固い枝等を導入した場合には、切断動作が停止して切断不能となるロックの頻度の増加を生じやすいものとなる。当該ロックが発生するとその際に発生する刈込鋏本体への衝撃によって軸ピン（リベット等）の折損や、可動刃を動作させるための連結杆の変形等を招来する。
またこのような不具合が生じない場合であってもロックが発生すると、その都度噛みこんだ枝等を外さなければならず、作業の手間は非常に大きく、快適に作業を行い難いものであった。
【０００８】
また上記特許文献２に係るレシプロ式刈取措置においても、受刃体に鋸歯が形成されていることによって、枝に対して当該鋸歯が食い込むことで上記特許文献１と同様に、導入した枝が逃げることを防止する効果が得られるものであった。しかしながら、特許文献１と同様に、特に太い枝や固い枝等を導入した場合には、当該鋸歯が食い込んで切断ができない状態でロックするため、当該レシプロ式刈取装置の電源をＯＦＦにして、同様の作業を行う必要が生じる物であった。
【０００９】
本発明は以上の事情に鑑みてなされたものであり、枝等の噛み込んだ状態でのロックを低減でき、且つ、十分な切断機能を発揮できる刈込鋏の提供を、発明が解決しようとする課題とする。
【００１０】
また、動力式の刈込鋏は、連結杆が前方側へ押す方向に動作する際、即ち、可動刃における後方側に面した刃部とこれに協働する固定刃によって枝等を切断する際には、前記連結杆の前方側へ押す方向の動作によって当該連結杆が撓みやすく、後方側へ引く方向の動作と比較してよりロックを生じやすくなるところ、当該状況を改善できれば、更にロックの低減をできると考えられる。このため、本発明は、上記した枝等の噛み込んだ状態でのロックを低減でき、且つ、十分な切断機能を発揮できることに加えて、更に連結杆の動作に応じてロックを低減できる、より動作の安定性の高い刈込鋏の提供を、発明が解決しようとする課題とする。
【課題を解決するための手段】
【００１１】
本請求項１に係る発明は、長手方向に列設される固定刃と、該固定刃間に配置され前方側及び後方側の夫々に刃部を有する可動刃とを備え、各可動刃は、固定刃に対する揺動軸を備え、且つ当該可動刃の基端側には連結杆との連結軸を備え、連結杆の長手方向への往復動によって前記可動刃が前記揺動軸を中心として揺動する刈込鋏において、固定刃はＶ字を形成する直線刃とし、且つ、可動刃は少なくとも後方側に面する刃部が凸状の曲線刃としたことを特徴とする刈込鋏を、課題を解決するための手段とする。
【００１２】
本請求項２に係る発明は、上記請求項１に係る発明の構成を前提として、可動刃の刃部は、前方側の刃部及び後方側の刃部の双方が凸状の曲線刃であることを特徴とする刈込鋏を、課題を解決するための手段とする。
【００１３】
本請求項３に係る発明は、上記請求項２に係る発明の構成を前提として、前方側に面する刃部の曲率半径が、後方側に面する刃部の曲率半径よりも大きいものとしたことを特徴とする刈込鋏を、課題を解決するための手段とする。
【００１４】
請求項４に係る発明は、上記請求項１に係る発明の構成を前提として、可動刃のうち前方側に面する刃部は直線刃であることを特徴とする刈込鋏を、課題を解決するための手段とする。
【発明の効果】
【００１５】
請求項１に係る刈込鋏によれば、長手方向に列設される固定刃と、該固定刃間に配置され前方側及び後方側の夫々に刃部を有する可動刃とを備え、各可動刃は、固定刃に対する揺動軸を備え、且つ当該可動刃の基端側には連結杆との連結軸を備え、連結杆の長手方向への往復動によって前記可動刃が前記揺動軸を中心として揺動する刈込鋏において、固定刃はＶ字を形成する直線刃とし、且つ、可動刃は少なくとも後方側に面する刃部が凸状の曲線刃としたことから、連結杆が前方側へ押す方向に動作する際、即ち、可動刃における後方側に面した刃部とこれに協働する固定刃によって枝等を切断する際に、前記連結杆の前方側へ押す方向えの動作によって当該連結杆が撓みやすい状態にあるところ、枝等が逃れやすい凸状の曲線刃を用いることで、通常の枝等の切断を可能とすることに加えて、切断し難い太い枝等を容易に逃すことができ、これによってロックの発生を大幅に低減することができる。
【００１６】
請求項２に係る刈込鋏によれば、上記請求項１に係る発明の構成を前提として、可動刃の刃部は、前方側の刃部及び後方側の刃部の双方が凸状の曲線刃であるものとしたことから、通常の切断機能を備える直線刃と、当該直線刃よりも太い枝等をより逃しやすい凸状の曲線刃とを組み合わせた切断によって、特に太い枝等が噛み込んだ場合には、凸状の曲線刃が切断を行いながら当該太い枝等を逃すように作用する。このため、ロックの発生を抑制する効果が得られ、切断作業を続行できる。
【００１７】
請求項３に係る刈込鋏によれば、上記請求項２に係る発明の構成を前提として、可動刃の刃部うち前方側に面する刃部の曲率半径が、後方側に面する刃部の曲率半径よりも大きいものとした刈込鋏としたことから、連結杆が前方側へ押す方向に動作する際、即ち、可動刃における後方側に面した刃部とこれに協働する固定刃によって枝等を切断する際には、前記連結杆の前方側へ押す方向えの動作によって当該連結杆が撓みやすい状態にあるところ、より曲率半径が小さく枝等が逃れやすい凸状の曲線刃を用いることで、通常の枝等の切断を可能とすることに加えて、切断し難い太い枝等を容易に逃すことができ、これによってロックの発生を大幅に低減することができる。
【００１８】
そして、連結杆の後方側へ引く方向に動作する際、即ち、可動刃における前方側に面した刃部とこれに協働する固定刃によって枝等の被切断物を切断する際には、前記連結杆の後方側へ引く方向への動作によって当該連結杆に撓みを生じ難い状態にあるところ、より曲率半径が大きく枝等が逃げにくい凸状の曲線刃を用いることで当該枝等を良好に切断できる。
【００１９】
請求項４に係る刈込鋏によれば、上記請求項１に係る発明の構成を前提として、可動刃のうち前方側に面する刃部は直線刃である刈込鋏としたことから、連結杆が前方側へ押す方向に動作する際、即ち、可動刃における後方側に面した刃部とこれに協働する固定刃によって枝等を切断する際には、前記連結杆の前方側へ押す方向えの動作によって当該連結杆が撓みやすい状態にあるところ、枝等が逃れやすい凸状の曲線刃を用いることで、通常の枝等の切断を可能とすることに加えて、切断し難い太い枝等を容易に逃すことができ、これによってロックの発生を大幅に低減することができる。
【００２０】
そして、連結杆の後方側へ引く方向に動作する際、即ち、可動刃における前方側に面した刃部とこれに協働する固定刃によって枝等の被切断物を切断する際には、前記連結杆の後方側へ引く方向への動作によって当該連結杆に撓みを生じ難い状態にあるところ、凸状の曲線刃よりも枝等が逃げにくい直線刃を用いることで、当該枝等を良好に切断できる。
【図面の簡単な説明】
【００２１】
【図１】図１は本発明の実施例１に係る刈込鋏の全体図である。
【図２】図２は本発明の実施例１に係る刈込鋏の刃部の一部拡大図である。
【図３】図３は本発明の実施例２に係る刈込鋏の全体図である。
【図４】図４は本発明の実施例２に係る刈込鋏の刃部の一部拡大図である。
【図５】図５は本発明の実施例３に係る刈込鋏の全体図である。
【図６】図６は本発明の実施例３に係る刈込鋏の刃部の一部拡大図である。
【発明を実施するための形態】
【００２２】
以下に本発明の各実施例に係る刈込鋏Ｓを説明する。以下説明において、図１における左側（刃側）を前方、右側（把持部側）を後方として説明する。尚、本発明は以下の実施例に限定されるものではない。
【実施例１】
【００２３】
本発明の実施例１に係る刈込鋏Ｓは、図１に示すように、刈込鋏Ｓの保持及び操作を行うための操作部１と、該操作部１の前方に配置され、切断機能を発揮する刈込刃部２とを備えている。
【００２４】
刈込刃部２は、複数の固定刃３０を有する固定刃部３と、前記固定刃３との協働により被切断対象物を切断するための可動刃４と、該可動刃４を動作させるための第一連結杆５ａを備えている。
【００２５】
前記固定刃部３は、長手方向に連続する長尺の固定板３１に一定の間隔で複数の固定刃３０を列設した構成である。尚、本実施例における各固定刃３０の間隔（ピッチＰ）は３５ｍｍとしている。
各固定刃３０間には、可動刃４の枢軸２０となるリベットを取付けるための軸穴３４を設けてある。各固定刃３０は、図１において示すように、正面視Ｖ字状の刃部３２を備えている。当該Ｖ字状の刃部３２のうち、刈込刃部２の前方側の刃部３２ａ、後方側の刃部３２ｂのいずれにおいても直線刃、即ち直線輪郭を有する刃としている。
また、各固定刃３０の基端側の一部には、当該刈込刃部２の強度を保持しつつ軽量化するための穴部３３を備えている。
【００２６】
可動刃４は、図１において示すように、前方側の刃部４１ａ及び後方側の刃部４１ｂを有する刃部４１を備えている。当該前方側の刃部４１ａ及び後方側の刃部４１ｂはいずれも凸状の曲線刃Ｒ、即ち両端に対して中央が凸となる曲線輪郭を有する刃である。本実施例１における当該各凸状の曲線刃Ｒの曲率半径は１００ｍｍとしている。
また、可動刃４の長手中央位置近傍には可動刃側軸穴４２を備えている。一方、可動刃４の基端側には前記第一連結杆５ａと連結するための連結部４０を備えている。
当該連結部４０には、第一連結杆５ａとの相対的な可動状態を確保するための連結軸穴４３を設けてある。
【００２７】
第一連結杆５ａは前記固定刃部３の固定板３１と略平行に配置される。当該第一連結杆５ａには、その先端５０側から前記可動刃４の連結軸穴４３に対応する取付穴５２を列設してある。
また第一連結杆５ａの後端５１側には、二箇所に後端側取付穴を設けてある。
【００２８】
操作部１は、本体部１１と、該本体部１１の前後に配置される把持部１０（後方側を第一把持部１０ａ、前方側を第二把持部１０ｂとする。）を備えている。前記本体部１１内には、図示されない電動機である駆動部１１０とこれに連動するカム機構と、該カム機構に連結される第二連結杆５ｂを備えている。
第二連結杆５ｂは、先端５３側の二箇所に先端側取付穴を備え、図示されない後端側にはカム機構と連結するための取付用長穴を備えている。
【００２９】
前記第二連結杆５ｂは、前記取付用長穴を用いて後端側を、カム機構と連結している。
また、本体部１１の前方に設けたガイド筒１２を通して前方へ前記先端５３を突出させ、前記第一連結杆５ａの後端側取付穴と第二連結杆５ｂの先端側取付穴を螺子及びナットで連結している。これによって、前記第一連結杆５ａの前記後端５１と第二連結杆５ｂの先端５３を連結して、連結杆５を構成している。
【００３０】
前記ガイド筒１２の周囲には、前記第二把持部１０ｂが取付けられる。
また当該ガイド筒１２の先端側には、固定刃部３の後端部３５を取付けるための固定刃取付部材６を設けている。固定刃固定部材６は、固定刃部３の後端部３５に螺子及びナットを用いて固着される。
【００３１】
上記構成において、固定刃３０間の軸穴と可動刃４の可動刃側軸穴４２とを一致させてリベットにより枢軸２０を形成する。また、第一連結杆５ａの取付穴と可動刃４の連結軸穴４３とを一致させてリベットにより連結軸２１を構成する。
【００３２】
上記操作部１に設けたスイッチ１００をＯＮにすることによって、電力の供給を受けた駆動部１１０が動作し、前記図示されないカム機構によって第二連結杆５ｂ及び第一連結杆５ａが前後に往復動する。これに伴って、固定刃３０間において可動刃４が前記枢軸２０を中心として揺動し、固定刃３０と可動刃４との間に差し込まれた草葉や枝等の被切断対象物を切断する。
【００３３】
本実施例１に係る刈込鋏Ｓによれば、連結杆５の往復動のいずれのタイミングにおいても、直線刃Ｄを有する固定刃３０と凸状の曲線刃Ｒとの組み合わせによって前記草葉や枝等の被切断対象物を切断する。
そして、凸状の曲線刃Ｒが特に太い枝や固い枝で切断に困難性が生じた場合には、当該切断困難な枝等が凸状の曲線刃Ｒに沿って外方へ逃げやすくなり、また固定刃３０の直線刃も当該逃げを殆ど阻害することないから、結果として当該切断困難な枝が凸状の曲線刃Ｒに沿って外方へ逃がしてロックを防止する。
また、切断可能な太さや固さの枝であれば、直線刃Ｄで不必要に逃げを生じさせず、高い確実性をもって、当該被切断対象物を切断できる。
【００３４】
尚、本実施例１では上記したように、凸状の曲線刃Ｒの曲率半径を１００ｍｍとしている（図２中「Ｒ１００」で指示。）。当該凸状の曲線刃Ｒの曲率半径は８０ｍｍ程度であっても性能は発揮できるものの、曲率半径を小さくすると、草葉や細い枝の切断は良好に切断できる。一方で、太い枝等に対して切断が若干行い難くなる傾向を生じる。曲率半径が８０ｍｍ未満となると、この傾向が大きくなり、実用性に欠ける傾向が大きくなる。また、凸状の曲線刃Ｒの曲率半径を１５０ｍｍとすると、被切断対象物の外方への逃げは低減されるが、草葉や細い枝の切断を良好とする曲線刃Ｒの特性が低下する。凸状の曲線刃Ｒの曲率半径が１５０ｍｍを超えると直線刃との微差となり、曲線刃Ｒの実用性に欠ける傾向が大きくなる。従って、凸状の曲線刃Ｒの曲率半径は、８０ｍｍ〜１５０ｍｍとすることが望ましい。
【実施例２】
【００３５】
次に本発明の実施例２に係る刈込鋏Ｓは、基本構成は、上記実施例１に係る刈込鋏Ｓと共通するものである（図３参照。）。このため同一の構成部分についての説明は省略し、上記実施例１に準ずるものとする。本実施例２に係る刈込鋏Ｓは、実施例１と比較し、凸状の曲線刃Ｒを有する可動刃４について、その前方側の刃部４１ａと後方側の刃部４１ｂの曲率半径を異なるものとし、更に、前方側に面する刃部４１ｂの曲率半径が、後方側に面する刃部４１ｂの曲率半径よりも大きい構成としたものである。より具体的には、本実施例２における各可動刃４は、前方側に面する凸状の曲線刃Ｒ１の曲率半径は１５０ｍｍとし、後方側に面する凸状の曲線刃Ｒ２の曲率半径は１００ｍｍとしている。固定刃３０の刃部は、実施例１と同様に直線刃としており、各固定刃３０の間隔（ピッチＰ）は３５ｍｍとしている。
【００３６】
本実施例２に係る刈込鋏Ｓによれば、連結杆５を前方側へ押すことによって切断動作を行う際、即ち可動刃４における後方側の刃部４１ｂと固定刃３０における前方側の刃部３２ａによる切断を行う際には、可動刃４が切断時に受ける抗力によって前記連結杆５が撓み、可動刃４による切断力が逃され、太い枝等をロックし易いものであるところ、前記可動刃４の後方側の曲率半径を小さくした凸状の曲線刃Ｒ２によって、より太い枝等を逃しやすくして、連結杆５の撓みを抑制し、ロックを大幅に低減する。
【００３７】
また、連結杆５を後方側へ引くことによって切断動作を行う際、即ち可動刃４における前方側の刃部４１ａと固定刃３０における後方側の刃部３２ｂによる切断を行う際には、連結杆５の撓みは生じないため、可動刃４におけるより大きな曲率半径の刃部を利用して太い枝等であっても切断をより良好とするものである。
刈込鋏Ｓの連結杆５は高速（例えば、数千往復／分）で往復動するから、上記各作用効果を厳密には交互で発揮するのであるが、事実上は上記の押方向、引方向の各作用効果を兼備するように被切断物を効率良く切断することができる。
【００３８】
尚、本実施例２では上記したように、前方側に面する凸状の曲線刃Ｒ１の曲率半径は１５０ｍｍとし、後方側に面する凸状の曲線刃Ｒ２の曲率半径は１００ｍｍとしているが、後方側に面する凸状の曲線刃Ｒ２の曲率は、これに限定されるものではなく、例えば、凸状の曲線刃Ｒ２の曲率半径は８０ｍｍ程度であっても性能は発揮できる。一方で、太い枝等に対して切断が若干行い難くなる傾向を生じる。曲率半径が８０ｍｍ未満となると、この傾向が大きくなり、実用性に欠ける傾向が大きくなる。このため後方側に面する凸状の曲線刃Ｒ２の曲率半径は前方側に面する凸状の曲率半径よりも小さいことを条件として、８０ｍｍ以上１５０ｍｍ未満であることが望ましい。他方、同様の理由から、前方側に面する凸状の曲線刃Ｒ１の曲率半径は、後方側に面する凸状の曲線刃Ｒ２より大きい曲率半径であることを条件として、８０ｍｍを超えて１５０ｍｍ以下であることが望ましい。
【実施例３】
【００３９】
次に本発明の実施例３に係る刈込鋏Ｓは、基本構成は、上記実施例１に係る刈込鋏Ｓと共通するものである（図５参照。）。このため同一の構成部分についての説明は省略し、上記実施例１に準ずるものとする。本実施例３に係る刈込鋏Ｓは実施例１の可動刃４と比較して、可動刃４における前方側に面する刃部４１ａを直線刃Ｄとした構成である。
後方側に面する刃部は、実施例１と同様に曲線刃Ｒとし、当該曲線刃Ｒの曲率半径は１００ｍｍとしている。また、固定刃３０の刃部は、実施例１、２と同様に直線刃としており、各固定刃３０の間隔（ピッチＰ）は３５ｍｍとしている。
【００４０】
上記実施例３に係る発明の構成によれば、連結杆５を前方側へ押すことによって切断動作を行う際、即ち可動刃４における後方側の刃部４１ｂ（曲線刃Ｒ）と固定刃３０における前方側の刃部３２ａ（曲線刃Ｒ）による切断を行う際には、可動刃４が切断時に受ける抗力によって前記連結杆５が撓み、可動刃４による切断力が逃され、太い枝等をロックし易いものであるところ、前記可動刃４の後方側の凸状の曲線刃Ｒによって、より太い枝等を逃しやすくして、連結杆５の撓みを抑制し、ロックを大幅に低減する。
【００４１】
また、連結杆５を後方側へ引くことによって切断動作を行う際、即ち可動刃４における前方側の刃部と固定刃３０における後方側の刃部による切断を行う際には、連結杆５の撓みは生じないため、直線刃を利用して太い枝等であっても切断をより良好とするものである。
【００４２】
また、本実施例１、２及び３に係る刈込鋏のいずれにおいても、上記の通り第一連結杆５ａと第二連結杆５ｂを接続した構成で、駆動部１１０とカム機構を介して連結した構成であるため、刈込鋏Ｓの重量バランスは後方側（把持部側）に重量が偏り、当該刈込鋏Ｓの前方側が軽量となるから、切断作業時において、刈込刃部２を軽く動かすことができる構成を確保できる。
【００４３】
また、本実施例１、２及び３に係る刈込鋏Ｓのいずれにおいても、上記の通り固定刃３０の基端側の一部に、当該刈込刃部２の強度を保持しつつ軽量化するための穴部を備えているため、上記の重量バランスにおいて、更に前方側が軽量化され、切断作業時における刈込刃部２の取り扱い性能を更に良好とすることができる。
【００４４】
また、本実施例１、２及び３に係る刈込鋏Ｓはいずれも電動機を動力源としているが、本発明はこれに限定するものではなく、例えば原動機等の他の動力源を用いるものとすることもできる。またいずれの実施例に係る刈込鋏Ｓにおいても、連結杆３は第一連結杆５ａ及び第二連結杆５ｂを連結したものとしているが、単独の連結杆３とするものであってもよいし、３本以上の連結杆を繋ぎ合わすものでもよい。
【００４５】
また、本発明は上記実施例１、２、３に係る刈込鋏Ｓはいずれも各固定刃間の距離（ピッチＰ）を３５ｍｍとしているが、上記各実施例に準じて、変更することができる。また前記ピッチＰの変更に対応して曲線刃Ｒ若しくは曲線刃Ｒ１、曲線刃Ｒ２の曲率半径も変更することができる。例えば、各固定刃間の距離を４０ｍｍに変更した場合には、曲線刃Ｒの曲率半径は８０ｍｍであっても刃元に枝が入りやすくなるため、より太い枝の切断を可能とすることができる。一方、連結杆のストロークを同一としたままで、各固定刃の間隔（ピッチＰ）を３０ｍｍから４０ｍｍに変更すると、枢軸２０から連結軸２１までの距離（軸間距離Ｌ）を短く設定する必要性が生じるため、これに伴って切断力が若干減少する。このため、対象となる太さの枝を設定した上で、上記各実施例等に準じて、刃元への枝の導入性能と切断力をバランスさせて、各部の寸法を設定することができる。
【００４６】
また、本発明においては、刈込鋏の操作部の形状、構造、組み合わせについて、種々の公知技術やその応用技術を利用できる。例えば、把持部はモーターの前後に配置するものに限らず、いずれか一方であってもよい。
【符号の説明】
【００４７】
Ｄ      直線刃
Ｌ      軸間距離
Ｐ      ピッチ
Ｓ      刈込鋏
Ｒ      曲線刃
Ｒ１    曲線刃
Ｒ２    曲線刃
１      操作部
１０    把持部
１０ａ  第一把持部
１０ｂ  第二把持部
１００  スイッチ
１１    本体部
１１０  駆動部
１２    ガイド筒
２      刈込刃部
２０    枢軸
２１    連結軸
３      固定刃部
３０    固定刃
３１    固定板
３２    刃部
３２ａ  刃部（前方側）
３２ｂ  刃部（後方側）
３３    穴部
３４    軸穴
３５    後端部
４      可動刃
４０    連結部
４１    刃部
４１ａ  刃部（前方側）
４１ｂ  刃部（後方側）
４２    可動刃側軸穴
４３    連結軸穴
５      連結杆
５ａ    第一連結杆
５ｂ    第二連結杆
５０    先端
５１    後端
５２    取付穴
５３    先端
６      固定刃取付部材
【図１】
0006391409.tif 000002
【図２】
0006391409.tif 000003
【図３】
0006391409.tif 000004
【図４】
0006391409.tif 000005
【図５】
0006391409.tif 000006
【図６】
0006391409.tif 000007